(57)【要約】【課題】変圧器内で電力を倍増して安いエネルギーを提供する。【解決手段】変圧器内で永久磁石の磁力エネルギーを相乗させて入力電力に対して出力電力を倍増する。【選択図】　　　　　図３
2004140053.tif 000002
【特許請求の範囲】
【請求項１】
変圧器コア１とその中心部に一次コイル２、及び　二次コイル３を巻設し、　変圧器コア１の両端内側部に永久磁石４　及び　永久磁石５を設け　且つ　変圧器コア１と極少エアーギャップ１０を介して　中央に発電コイル９を巻設した磁力ロード発電コア８を設けた事を特徴とする高効率型倍電力変圧器。
【請求項２】
両端に極少エアーギャップ１０を設けた変圧器コア１とその中心部に一次コイル２、及び　二次コイル３を巻設し、　その両側部に永久磁石４　及び　永久磁石５を設けた事を特徴とする高効率型倍電力変圧器。
【請求項３】
極少エアーギャップ１０ａａを設けた変圧器コア１ａとその中心部に一次コイル２ａ、及び　二次コイル３ａを巻設し、　変圧器コア１ａの片端内側部に永久磁石４ａを設け　且つ　変圧器コア１ａと極少エアーギャップ１０ａを介して　中央に発電コイル９ａを巻設した磁力ロード発電コア６ａを設けた事を特徴とする高効率型倍電力変圧器。
【請求項４】
極少エアーギャップ１０ａａと極少エアーギャップ１０ａｂを設けた変圧器コア１ａとその中心部に一次コイル２ａ、及び　二次コイル３ａを巻設し、　その変圧器コア１ａの片端内側部に永久磁石４ａを設けた事を特徴とする高効率型倍電力変圧器。
【請求項５】
入力コア１ｂとその一側方に入力コイル２ｂを巻設し、　他側方に永久磁石４ｂを設け、　入力コア１ｂと極少エアーギャップ１０ｂを介して中央に発電コイル９ｂを巻設した磁力ロード発電コア８ｂを設けた事を特徴とする高効率型倍電力変圧器。
【発明の詳細な説明】
【０００１】
【発明が属する技術分野】
本発明は、　商用電源回路　及び　電気自動車等の電源回路において電力エネルギーを倍増する装置に関するものである。
【０００２】
【従来の技術】
従来は、高性能の倍電力変圧器　（特願２００２−１４７１５５号参照）があったが電力倍増率において改良の余地があった。
【０００３】
【発明が解決しようとする課題】
前記倍電力変圧器より効率を上げる。
【０００４】
【課題を解決するための手段】
高効率型倍電力変圧器が動作中に永久磁石の磁力エネルギーが遊んでいる時間があるのでその時間の磁力エネルギーが高効率型倍電力変圧器の動作に妨げになるので、
１・遊び磁力エネルギーを極少エアーギャップを介してコア内を流回して妨げを無くす。
２・遊び磁力エネルギーを磁力ロード発電コアへ流回して発電コイルで発電をさせる事で妨げを解決し、　且つ　この電力を入力電力　又は　出力電力と合成して出力量を上げる。
【０００５】
【実施例】
請求項第一項　及び　第二項を第１図、第２図、第３図、第４図によって説明すると、　（特願２００２−１４７１５５参照）で説明があるように変圧器コア１と永久磁石４　及び　永久磁石５は完全閉磁路を構成している、　その変圧器コア１の中央に巻設してある一次コイル２に交流電流（図９の１１）が入力すると一瞬の間ではあるが第１図、第３図、第４図の変圧器コア１の左側がＮ極、右側がＳ極となった場合の説明で一次コイル２の磁力線は永久磁石５の閉磁路内、つまり変圧器コア１のＮ極から永久磁石５のＳ極、永久磁石５の内部から永久磁石５のＮ極、変圧器コア１のＳ極、つまり変圧器コア１の右側から変圧器コア１の内部を永久磁石５の磁力線と合成されて流回するので二次コイル３には合成された磁力線の起電力が発生する。（倍電力作用が起こる）
【０００６】
その時永久磁石４とは反発するのでその反発の為に消費される電流が永久磁石４の磁束密度分だけある、　つまり反発作用が倍電力作用の妨げとなっている、そこで交流電流が一瞬の間ではあるが０ボルトから徐々に電圧が上がってゆくと同時に反発の度合いが強くなってゆく段階で永久磁石４の磁力線は空中へ流れるかそれともはるかに透磁率の大きい極少エアーギャップ１０を介して設けた磁力ロード発電コア８　又は　第４図の変圧器コア１の極小エアーギャップ１０（図４の上方）に磁路を構成し、その磁路を流回するので磁力線反発の為の入力電流は永久磁石４の磁束密度の５０％以下で作動するので電力倍増効率が向上する、　又　入力電流が交流なのでこの逆の極性となった場合前記動作の逆で永久磁石４の方の閉磁路内を流回する、（逆の作用の説明は省略する）磁力ロード発電コア８　に巻設した発電コイル９に発生した起電力は入力側　又は　出力側に合成する。
【０００７】
請求項第三項　及び　第四項について第５図、第６図によって説明すると、　先ず　永久磁石４ａと変圧器コア１ａは完全閉磁路を構成している、　変圧器コア１ａに巻設した一次コイル２ａに交流電流の半波を取り除いた脈流（図９の１２）を　又は　直流電流を前記同等の脈流状にして電気の極性を第５図　又は　第６図の変圧器コア１ａの磁極が左側がＮ極、右側がＳ極になるように一次コイル２ａに入力すると一次コイル２ａの磁力線は変圧器コア１ａの極小エアーギャップ１０ａａを流回して二次コイル３ａに入力と同じ極性の脈流（図９の出力電流波形１３の上側）が出力されると同時に永久磁石４ａの磁力線が反発して閉磁路を構成していた変圧器コア１ａから浮き放され別の磁路、　つまり　変圧器コア１ａと極少エアーギャップ１０ａを介して設けた磁力ロード発電コア６ａ　又は変圧器コア１ａの極小エアーギャップ１０ａｂに流回するので永久磁石４ａの磁束密度の５０％以下の入力電流で閉磁路より浮き放す事ができる、　この時　磁力ロード発電コア６ａに巻設してある発電コイル９ａに起電力が発生する。、一次コイル２ａに入力した電流が脈流（図９の１２）なのでその電流が途切れると永久磁石４ａは変圧器コア１ａと再び完全閉磁路となり永久磁石４ａの磁力線は変圧器コア１ａ、二次コイル３ａの内部へ流回する、　すると二次コイル３ａに先ほどの起電力の逆の極性の起電力が発生する、（図９の出力電流波形１３の下側斜線部分）　つまり脈流の途切れた部分に逆極性の電流が発生してこの電流は入力電流に関係のない永久磁石の磁力エネルギーで生み出された新しいエネルギーで直流脈流の電流に加わって交流電流（図９の１３）となって入力エネルギーの二倍の電気エネルギーとなる。
【０００８】
請求項第五項について第７図、第８図によって説明をすると本装置は直流電流専用（逆位相にして二台使用する事で交流電流にも使用可能）の高効率型倍電力変圧器である、永久磁石４ｂと入力コア１ｂは完全閉磁路状態にありその入力コア１ｂに巻設してある入力コイル２ｂに入力コア１ｂの磁極が左側がＮ極、右側がＳ極となるよう直流脈流電流（図９の１４）を入力すると一瞬の間ではあるが電圧が徐々に上昇してゆくと永久磁石４ｂの磁極と反発が始まる、この反発の度合いが徐々に強くなるにしたがって永久磁石４ｂの磁力線は空中へ流れるかそれとも透磁率の大きくあたる極少エアーギャップ１０ｂを介して設けた磁力ロード発電コア８ｂへと磁路を構成して磁力ロード発電コア８ｂ内を流回する、つまり発電コイル９ｂ内を流回して起電力を発生させる、この時の起電力は永久磁石４ｂの磁束密度と極少エアーギャップ１０ｂを介して磁力ロード発電コア８ｂの磁路の透磁率によって差はあるが磁力線反発の為に入力コイル２ｂに入力した電力の二倍以上の出力電力が得られるものである、少なくとも永久磁石４ｂの磁束密度は反発の為に入力コイル２ｂに入力して磁束を作る電力の二倍以上は必要である。
上記極少エアーギャップは、別に空間でなくても薄い非磁性材を挟み込んでも良い。
又　上記の装置を五段、　六段と直列に使用すると電力を何百倍と倍増できる。
【０００９】
【発明の効果】
Ａ−少ない電気料金で沢山の電気が使える。
Ｂ−小さな発電所で多くの電気が使える。
Ｃ−小さなバッテリーを使用して大きな電気自動車を走らせながら且つバッテリーの充電もできる永久サイクルが可能である。
Ｄ−送電設備が小型化　及び　コストダウンできる等の多くのメリットがある。Ｅ−原子力発電所等危険な設備が無くても人類は文化生活が営める。
【００１０】
【図面の簡単な説明】
【図１】本発明請求項第一項の正面図で一部断面図である。
【図２】第一図Ａ方向からの側面図である。
【図３】本発明請求項第一項の説明図である。
【図４】本発明請求項第二項の正面図で一部断面図である。
【図５】本発明請求項第三項の正面図で一部断面図である。
【図６】本発明請求項第四項の正面図で一部断面図である。
【図７】本発明請求項第五項の正面図で一部断面図である。
【図８】本発明請求項第五項の閉磁路型の正面図で一部断面図である。
【図９】入力電流　及び　出力電流の波形である。
【００１１】
【符号の説明】
１　　　　変圧器コア
１ａ　　　変圧器コア
１ｂ　　　入力コア
２　　　　一次コイル
２ａ　　　一次コイル
２ｂ　　　入力コイル
３　　　　二次コイル
３ａ　　　二次コイル
４　　　　永久磁石
４ａ　　　永久磁石
４ｂ　　　永久磁石
５　　　　永久磁石
６ａ　　　磁力ロード発電コア
８　　　　磁力ロード発電コア
８ｂ　　　磁力ロード発電コア
９　　　　発電コイル
９ａ　　　発電コイル
９ｂ　　　発電コイル
１０　　　極少エアーギャップ
１０ａ　　極少エアーギャップ
１０ａａ　極少エアーギャップ
１０ａｂ　極少エアーギャップ
１０ｂ　　極少エアーギャップ
１１　　　請求項第１項　及び　第２項の入力電流　及び　出力電流の波形
１２　　　請求項第３項　及び　第４項の入力電流の波形
１３　　　請求項第３項　及び　第４項の出力電流の波形
１４　　　請求項第５項の入力電流　及び　出力電流の波形
Ｎ　　　　永久磁石の極性
Ｓ　　　　永久磁石の極性
【図１】
2004140053.tif 000003
【図２】
2004140053.tif 000004
【図３】
2004140053.tif 000005
【図４】
2004140053.tif 000006
【図５】
2004140053.tif 000007
【図６】
2004140053.tif 000008
【図７】
2004140053.tif 000009
【図８】
2004140053.tif 000010
【図９】
2004140053.tif 000011